(57)【要約】【課題】早急かつ確実に救命具を使用状態にでき、かつ装着していても作業に困難を伴わない救命具を提供する。【解決手段】膨張したときに、装着者の腋の下を挿通する二つの腕状部分１１１とこの腕状部分の一方の端部を連結する連結部分１１２とを備えた気室１１を有し、前記腕状部分の他方の端部あるいは端部近傍に装着者の腰に装着するためのベルト４を備えていることを特徴とする。【効果】腰部分に装着する、いわゆるウエストポーチ式であるため、船上における作業の邪魔にならないという利点がある。さらに、腰部分にポーチを装着するようになっているために、水中において、首を救命具本体に挿入することなく、自動的に装着状態になり、パニック状態であっても、確実に浮力を得るという利点がある。【選択図】  図１
2004196002.tif 000002
【特許請求の範囲】
【請求項１】
膨張したときに、装着者の腋の下を挿通する二つの腕状部分とこの腕状部分の一方の端部を連結する連結部分とを備えた気室を有し、前記腕状部分の他方の端部あるいは端部近傍に装着者の腰に装着するためのベルトを備えていることを特徴とする救命具。
【請求項２】
前記気室は、折り畳まれてポーチ内に収納され、前記ポーチの側部より前記ベルトが伸長しており、前記ベルトによって、前記ポーチは装着者の腰に固定されることを特徴とする請求項１記載の救命具。
【請求項３】
前記気室が膨張したときに、装着者とベルトの間に空隙が形成されることを特徴とする請求項１または２記載の救命具。
【請求項４】
前記腕状部分と連結部分との境界に隣接する腕状部分に、腕にフィットする形状の凹みを設けたことを特徴とする請求項１から３のいずれか１項記載の救命具。
【請求項５】
前記ポーチに装着者を連結部分に密着するようなウエストベルトを設けたことを特徴とする請求項１から４のいずれか１項記載の救命具。
【請求項６】
前記ベルトは腕状部分の他方の先端に取り付けられており、前記腕状部分の周方向に設けられたテープを潜通し、緊締できるようになっていることを特徴とする請求項１〜４のいずれか１項記載の救命具。
【発明の詳細な説明】
【０００１】
【発明の技術分野】
本発明は救命具、さらに詳細には不慮の場合に容易に使用状態になり、かつ通常の作業で装着していても活動しやすい救命具に関する。
【０００２】
【従来技術】
図９は従来の首掛け式の救命具の正面図であるが、この図より明らかなように、救命具本体（図示せず）とほぼ同形状の包装袋２中に収納されており、前記包装袋２内に収納された救命具本体を首にかける形で装着していた。このような首掛け式の救命具の場合、救命具本体が膨張したときに、直ちに救命具本体を装着でき、救命のためには、有利である。しかしながら、通常の作業を行う場合には、胸近辺を覆っているため、作業の邪魔になることが多い。さらに救命具の重量が装着者の首に多大に負荷されることになるという欠点もある。
【０００３】
図１０は上述のような欠点を除去したウエストポーチ式救命具であるが、この救命具によれば、救命具本体１はポーチ３内に収納されており、ベルト４によって、装着者の前に（腹部分）装着される。この場合には、首掛け式と異なり、作業の邪魔になることも少なく、首に負担をかける恐れもないという利点がある反面、前記救命具本体１が膨張したとき、救命具本体１を首掛け状に装着するため、形成されている穴部１０に首を通す必要があると言う欠点がある。このように穴部１０に首を通す行動は、緊急の場合には困難を伴うことも多い。
【０００４】
【発明が解決する問題点】
本発明は上述の問題点に鑑みなされたものであり、早急かつ確実に救命具を使用状態にでき、かつ装着していても作業に困難を伴わない救命具を提供することを目的とする。
【０００５】
【問題点を解決するための手段】
上記問題点を解決するため、本発明による救命具は、膨張したときに、装着者の腋の下を挿通する二つの腕状部分とこの腕状部分の一方の端部を連結する連結部分とを備えた気室を有し、前記腕状部分の他方の端部あるいは端部近傍に装着者の腰に装着するためのベルトを備えていることを特徴とする。
【０００６】
本発明による救命具においては、腰部分に装着する、いわゆるウエストポーチ式であるため、船上における作業の邪魔にならないという利点がある。さらに、腰部分にポーチを装着するようになっているために、水中において、首を救命具本体に挿入することなく、自動的に装着状態になり、パニック状態であっても、確実に浮力を得るという利点がある。
【０００７】
【実施例】
図１は本発明による救命具の気室を膨張させたときの正面図であるが、この図より明らかなように、救命具本体１は、気体の流入によって膨張する気室１１とこの気室１１の開口端部付近に設けられたベルト４を備えた構造になっている。前記気室１１は、膨張したときに、装着者Ｈの腋の下を挿通するようになっているほぼ平行な二つの腕状部分１１１とこの二つの腕状部分１１１の一方の先端に接続した連結部分１１２よりなっており、前記腕状部分１１１及び連結部分１１２は連通した構造になっている（図２参照）。前記ベルト４は前記腕状部分１１１の他方の先端部に設けられており、このベルト４によって、ポーチ３に収納された救命具本体１を装着者Ｈの腰部分に脱着できるようになっている。
【０００８】
前記気室１１は、連結部分１１２に設けられたボンベ５よりの気体（例えば炭酸ガス）によって膨張可能になっている。
【０００９】
図３は、前記救命具本体１の気室１１をポーチ３内に収納したときの状態を示す模式図であるが、気室１１は、腕状部分１１１を蛇腹状に折り畳んで収納するようになっており、腕状部分１１１の先端がポーチ３の側部３１に来るように折り畳まれ、前記先端部（あるいはこの先端部付近）に接続されたベルト４がポーチ３の側部３１より、引きだされて、装着者Ｈのウエストに装着可能になっている。
【００１０】
このような本発明の救命具を使用するに際しては、前述のように、気室１１が蛇腹状に収納されたポーチ３が、図４に示すように、装着者Ｈの腰部分になるようにベルト４によって装着する。万一、水中に落下したとき、装着者Ｈは作動索６を引くことによって、気室１１に気体を注入し、前記気室１１を膨張せしめる。
【００１１】
このとき、気室１１の二つの腕状部分１１１は、結果として装着者Ｈの両方の腋の下を挿通するようになり、連結部分１１２は装着者の頭部を支持するようになる。すなわち、図２より明らかなように、ベルト４は蛇腹状に折り畳まれた腕状部分１１１の先端（あるいはこの先端部付近）に取り付けられているため、その膨張によって、気室１１及びベルト４と装着者Ｈとの間に空隙Ｓが形成される。このように空隙Ｓが形成されることにより、気室１１は浮力によって装着者Ｈの頭部方向にせり上がることになり、図３に示すように、連結部分１１２が前記頭部を支持するようになる。さらにこの結果、腕状部分１１１は腋の下にしっかりと固定されることになり、装着者Ｈを安定して水中で保持可能になる。
【００１２】
図５は、本発明の他の実施例の正面図であるが、この救命具においては、ベルト４は腕状部分１１１の先端部付近（中ほど部分近辺）にベルト４が固定されている。この場合、前記空隙Ｓが小さくなり、頭部方向にせり上がりにくくなるが、図３のような状態になった時には、救命具より抜けにくくなるという利点がある。
【００１３】
図６は、本発明の第三の実施例の正面図であるが、この救命具においては、ベルト４は実施例１と同様に腕状部分１１１の先端に取り付けられている。この場合空隙Ｓは大きすぎる可能性があるのは上述の通りである。空隙Ｓが大きすぎる場合救助者Ｈが救命具より抜け出しやすい。この欠点を補うため、この実施例においてはベルト４とは別体のウエストベルト７をポーチ３に取り付けた構造になっている。この場合、前記救命具が膨張し、図２に示すような状態になった時にこのウエストベルト７を止めることによって連結部分１１２に装着者Ｈを密接に固定することが可能になり、このため救命具より抜脱する恐れがなくなるという利点を生じる。
【００１４】
図７は第四の実施例の正面図であるが、この図より明らかなように、この救命具においては、ベルト４は実施例１と同様に腕状部分１１１の先端に取り付けられている。そして、前記ベルト４は前記腕状部分１１１の中ほど部分近辺に、腕状部分１１１の周方向に形成されたテープ４１を潜通し、緊締されるようになっている。この場合、空隙Ｓは大きくならず、救助者Ｈが救命具より抜け出しやすくなることはない。さらにベルト４は腕状部分１１１の先端に取り付けられているため、図５に示す実施例と異なり、腕状部分１１１の先端部が、たとえば後方に屈曲するようなことがない。さらに腕状部分１１１の先端が前方に屈曲することにより、十分な空隙Ｓを確保可能であるので、頭部方向のせり上がりが阻害されることはないという利点がある。
【００１５】
この実施例においては、図８に示すように気室１１の連結部分１１２と腕状部分１１１の境界である折り曲げ位置Ｐに隣接する湾状部分に、救助者の腕形状にフィットする、たとえば弧状の凹み１１３が設けられている。このように弧状の凹み１１３を設けることによって救助者Ｈの腕形状にフィットするようになり、さらに実用的になる。上述のような気室形状は、この実施例ばかりでなく、前述の第一から第三の実施例においても使用することができるのは明らかである。
【００１６】
【発明の効果】
以上説明したように、本発明による救命具においては、腰部分に装着する、いわゆるウエストポーチ式であるため、船上における作業の邪魔にならないという利点がある。さらに、腰部分にポーチを装着するようになっているために、水中において、首を救命具本体に挿入することなく、自動的に装着状態になり、パニック状態であっても、確実に浮力を得るという利点がある。
【図面の簡単な説明】
【図１】本発明の救命具の一実施例の正面図。
【図２】本発明の救命具が使用された状態の斜視図。
【図３】本発明の救命具を収納した状態の模式図。
【図４】本発明の救命具の装着状態を示す説明図
【図５】本発明の他の実施例を示す正面図。
【図６】本発明の第三の実施例の正面図。
【図７】本発明の第四の実施例の正面図。
【図８】本発明の第四の実施例の裏面図。
【図 ９】従来の救命具の正面図。
【図１０】従来の他の例を示す正面図。
【符号の説明】
１            救命具本体
１１            気室
１１１            腕状部分
１１２            連結部分
１１３            凹み
２            包装袋
３            ポーチ
３１            側部
４            ベルト
４１            テープ
５            ボンベ
６            作動索
７            ウエストベルト
１０            穴部
Ｈ            装着者
Ｓ            空隙
【図１】
2004196002.tif 000003
【図２】
2004196002.tif 000004
【図３】
2004196002.tif 000005
【図４】
2004196002.tif 000006
【図５】
2004196002.tif 000007
【図６】
2004196002.tif 000008
【図７】
2004196002.tif 000009
【図８】
2004196002.tif 000010
【図９】
2004196002.tif 000011
【図１０】
2004196002.tif 000012